【手続補正書】
【提出日】平成28年10月18日(2016.10.18)
【手続補正１】
【補正対象書類名】特許請求の範囲
【補正対象項目名】全文
【補正方法】変更
【補正の内容】
【特許請求の範囲】
【請求項１】
電子文書を流通するシステムにおいて、
電子アドレスを基盤に電子文書を送受信し、電子文書送受信に対する流通証明書を発給および前記流通証明書の履歴を管理する送受信個体のための流通メッセージングサーバと；
前記送受信個体のための流通メッセージングサーバの電子アドレスを登録及び管理するアドレスディレクトリサーバを備え、前記送受信個体のための流通メッセージングサーバ間の電子文書の流通経路を設定し、前記送受信個体のための流通メッセージングサーバに電子文書の標準書式を提供し、送受信個体のための流通メッセージングサーバ間の電子文書の流通過程でエラーが発生した時に、電子文書転送を代行し、流通証明書を発給する流通ハブ；
流通証明書の伝達を受けて保管する、保管プロセスのための流通メッセージングサーバ及び連係クライアントモジュール；および
前記流通メッセージングサーバと前記アドレスディレクトリサーバに連携される連携インターフェース
を含み、
前記流通ハブは、送受信個体のための流通メッセージングサーバ間の電子文書の流通過程でエラーが発生した時に、電子文書転送を代行し、流通証明書を発給する流通中継サーバを備え、
前記流通中継サーバは、同期式応答に対するエラーが発生した時に、送受信個体のための流通メッセージングサーバから電子文書転送の依頼を受ければ、電子文書転送を代行した後に、電子文書転送を依頼した送受信個体のための流通メッセージングサーバに送信証明書を発給し、依頼を受けた電子文書転送を失敗した時には、電子文書転送を依頼した送受信個体のための流通メッセージングサーバにエラーメッセージを転送し、
前記流通中継サーバは、非同期式応答に対するエラーが発生した時に、送受信個体のための流通メッセージングサーバにエラーメッセージを転送し、前記送受信個体のための流通メッセージングサーバは最終的にエラーを確認した時点でエラーメッセージを発生させ、
前記連携インターフェースは、前記アドレスディレクトリサーバから電子文書を送受信する際のセキュリティのための電子アドレス情報と認証情報を獲得して前記流通メッセージングサーバに提供し、
前記アドレスディレクトリーサーバがメール送信者の電子アドレスと前記メール送信者から受信された電子文書を基に前記メール送信者から受信された電子文書がスパムメッセージであるか否かを判断し、処理結果が生成されれば、前記連携インターフェースは該処理結果を前記流通メッセージングサーバと共有し、
前記連携インターフェースは登録されたユーザについての情報を含むホワイトリストおよび電子文書の受信が拒否されたユーザに対する情報を含むブラックリストを前記流通メッセージングサーバと共有することを特徴とする電子文書流通システム。
【請求項２】
前記送受信個体のための流通メッセージングサーバは、送受信した電子文書は、ユーザ別に状態情報を含んで電子文書箱に保管し、電子文書送受信履歴を編集および削除が不可能な媒体に所定期間保管し、電子文書送受信に対する流通証明書を発給して前記保管プロセスのための流通メッセージングサーバ及び連係クライアントモジュールに保管を依頼し、前記流通ハブのアドレスディレクトリサーバとの連係を通じて前記送受信個体のための流通メッセージングサーバに電子アドレスの登録および検索、修正、削除を含む機能を使えるようにし、
所定期間以上保管された電子文書を外部格納装置に移管して保管することを特徴とする、請求項１に記載の電子文書流通システム。
【請求項３】
前記電子アドレスは、
前記送受信個体のための流通メッセージングサーバが前記流通ハブのアドレスディレクトリサーバを介して発給を受けたユーザ識別記号と；前記送受信個体のための流通メッセージングサーバが必要な場合に自体的に付与する固有な値であり、該当送受信個体のための流通メッセージングサーバ内で固有な値である追加識別記号；および前記ユーザ識別記号と追加識別記号との間に位置する区分記号；を含むことを特徴とする、請求項１に記載の電子文書流通システム。
【請求項４】
電子文書流通に対する主体は、固有登録アドレスの発給を受けたユーザであることを特徴とする、請求項３に記載の電子文書流通システム。
【請求項５】
前記区分記号は'＃'であることを特徴とする、請求項３に記載の電子文書流通システム。
【請求項６】
前記流通ハブは電子文書の書式登録機を備え、前記電子文書の書式登録機は、電子文書の標準書式の登録、削除、および情報修正を含む管理を遂行し、電子文書の標準書式を文脈（ｃｏｎｔｅｘｔ）に応じてさらに分類し、電子文書の標準書式が使用され得る文脈（ｃｏｎｔｅｘｔ）に対する登録、修正を含む管理を遂行することを特徴とする、請求項１に記載の電子文書流通システム。
【請求項７】
前記電子文書の書式登録機は、文書様式を管理するサーバエンジン；および送受信個体のための流通メッセージングサーバを使用するユーザが文書様式を検索しダウンロードして使用できるようにする標準インターフェース；を含み、前記送受信個体のための流通メッセージングサーバは、送受信個体のための流通メッセージングサーバを使用するユーザが流通メッセージングサーバを介して電子文書を送受信できるようにするユーザインターフェースである流通クライアントアプリケーションをさらに備え、前記流通クライアントアプリケーションを使用するユーザは、前記電子文書の書式登録機の標準インターフェースを介して文書書式を検索しダウンロードした後に、該当文書書式を利用して電子文書を生成することを特徴とする、請求項６に記載の電子文書流通システム。
【請求項８】
電子アドレス登録代行機関のための流通メッセージングサーバがアドレスディレクトリサーバに電子アドレスを登録要請して応答を受けるのに用いられる第１インターフェースと；電子アドレス登録代行機関のための流通メッセージングサーバがアドレスディレクトリサーバに登録された電子アドレス情報に対する変更を要請して応答を受けるのに用いられる第２インターフェース；および電子アドレス登録代行機関のための流通メッセージングサーバがアドレスディレクトリサーバに登録された電子アドレス情報の削除を要請して応答を受ける第３インターフェース；が備えられ、前記電子アドレス登録代行機関のための流通メッセージングサーバは、第１インターフェースを介して電子アドレスの申請者情報および電子アドレス情報を要請メッセージに含ませて転送した後に、アドレスディレクトリサーバの登録処理結果を応答メッセージとして受信し、前記電子アドレス登録代行機関のための流通メッセージングサーバ、第２インターフェースを介して変更しようとするユーザ情報および電子アドレス情報を要請メッセージに含ませて転送した後に、アドレスディレクトリサーバの変更処理結果を応答メッセージとして受信し、前記電子アドレス登録代行機関のための流通メッセージングサーバは、第３インターフェースを介して削除しようとするユーザ情報および電子アドレス情報を要請メッセージに含ませて転送した後に、アドレスディレクトリサーバの削除処理結果を応答メッセージとして受信することを特
徴とする、請求項１に記載の電子文書流通システム。
【請求項９】
前記電子アドレス登録代行機関のための流通メッセージングサーバまたは送受信個体のための流通メッセージングサーバがアドレスディレクトリサーバに電子文書受信者の電子アドレスに該当する物理アドレス情報と電子文書保安処理のための公認認証書情報を要請して応答を受けるのに用いられる第４インターフェースが備えられ、電子アドレス登録代行機関のための流通メッセージングサーバまたは送受信個体のための流通メッセージングサーバの流通メッセージングサーバは、電子文書受信者の電子アドレスおよび公認認証書の要請有無を要請メッセージに含ませて転送した後に、アドレスディレクトリサーバから電子文書受信者の物理アドレス情報および公認認証書情報を応答メッセージとして受信することを特徴とする、請求項１０に記載の電子文書流通システム。
【請求項１０】
送受信個体のための流通メッセージングサーバまたは電子アドレス登録代行機関のための流通メッセージングサーバは、電子文書転送、流通証明書の伝達、流通証明書の保管要請、および保管プロセスのための流通メッセージングサーバ及び連係クライアントモジュールの保管結果伝達に用いる第５インターフェースを備えることを特徴とする、請求項１に記載の電子文書流通システム。
【請求項１１】
送受信個体のための流通メッセージングサーバを用いているユーザは、ユーザインターフェースである流通クライアントアプリケーションを備え、送受信個体のための流通メッセージングサーバは、電子文書流通を要請するユーザのための流通クライアントアプリケーションと連係して、ユーザに文書送受信機能を提供する第６インターフェースを備え、前記第６インターフェースは、電子文書転送の要請、電子文書目録の要請、電子文書詳細情報の要請、スパムメッセージ申告、および物理アドレス情報の検索機能を流通クライアントユーザに提供することを特徴とする、請求項１に記載の電子文書流通システム。
【請求項１２】
電子文書を流通するシステムにおいて、
電子アドレスを基盤に電子文書を送受信し、電子文書送受信に対する流通証明書を発給および前記流通証明書の履歴を管理する送受信個体のための流通メッセージングサーバと；
電子文書の流通のための公認電子アドレスを登録し、登録されているアドレスシステムを通じて流通メッセージングサーバと他の流通メッセージングサーバの間の電子文書を流通し、流通メッセージングサーバと他の流通メッセージングサーバの間の送受信部に対し信頼性を提供するために送受信部の暗号化が実行され、流通メッセージングサーバから他の流通メッセージングサーバに電子文書を送受信しない場合に流通メッセージングサーバに電子文書を伝送し、電子文書を送受信を検証する流通証明書を発給又は管理する流通ハブ；
流通証明書の伝達を受けて保管する、保管プロセスのための流通メッセージングサーバ及び連係クライアントモジュール；及び
前記流通メッセージングサーバと前記アドレスサーバに連携される連携インターフェース
を含み、
前記流通ハブは、送受信個体のための流通メッセージングサーバ間の電子文書の流通過程でエラーが発生した時に、電子文書転送を代行し、流通証明書を発給する流通中継サーバを備え、
前記流通中継サーバは、同期式応答に対するエラーが発生した時に、送受信個体のための流通メッセージングサーバから電子文書転送の依頼を受ければ、電子文書転送を代行した後に、電子文書転送を依頼した送受信個体のための流通メッセージングサーバに送信証明書を発給し、依頼を受けた電子文書転送を失敗した時には、電子文書転送を依頼した送受信個体のための流通メッセージングサーバにエラーメッセージを転送し、
前記流通中継サーバは、非同期式応答に対するエラーが発生した時に、送受信個体のための流通メッセージングサーバにエラーメッセージを転送し、前記送受信個体のための流通メッセージングサーバは最終的にエラーを確認した時点でエラーメッセージを発生させ、
前記連携インターフェースは、前記アドレスディレクトリサーバから電子文書を送受信する際のセキュリティのためのアドレス情報と認証情報を獲得して前記流通メッセージングサーバに提供し、
前記アドレスディレクトリサーバがメール送信者の電子アドレスと前記メール送信者から受信された電子文書を基に前記メール送信者から受信された電子文書がスパムメッセージであるか否かを判断し、処理結果が生成されれば、前記連携インターフェースは該処理結果を前記流通メッセージングサーバと共有し、
前記連携インターフェースは登録されたユーザについての情報を含むホワイトリストおよび電子文書の受信が拒否されたユーザについての情報を含むブラックリストを前記流通メッセージングサーバと共有することを特徴とする電子文書流通システム。